(57)【要約】【課題】イベントの作用点を超えてボタン又はレバーのストロークを行うようにイベントを開始させることだけが行えるように、機械的な戻り防止装置を提供する。【解決手段】作用点に達する前、ボタン又はレバーを停止させたり、方向を変えることは、保持手段４によって、レバー又はボタンが元の開始点まで戻る前に、第１方向でのさらなる移動を防ぐようにする。【選択図】図１
2007506475.tif 000002
【特許請求の範囲】
【請求項１】
２つの協働し、相対的に変位可能な部品を含む、機械的な戻り防止装置であり、
第１の部品は、長手方向軸と平行であり、第１トラックと第２トラックを含むトラックのセットを少なくとも１つ備え、前記第２トラックには、１つ又は複数の保持部材と、前記第２トラックの一方の端部に配置されるようにスライド案内部を備え、
第２の協働する部品は、前記第１部品に備えられるトラックと係合するように係合区間を備えた脚部材を含み、この脚部材を前記第１部品に向って付勢させて、前記係合区間を前記長手方向軸の方向に移動可能なように適用させ、
さらに、前記保持部材によって、前記脚部材の前記係合区間を前記スライド案内部に向う第１方向に移動させると共に、反対の第２方向への移動を防ぐようにし、前記脚部材の前記係合区間が前記スライド案内部上でスライドして、前記係合区間と、この結果、前記脚部材が、前記第２トラックから前記第１トラックまで方向付けられるようにしたことを特徴とする戻り防止装置。
【請求項２】
前記保持部材の各々は、所定の長さを有する傾斜したスライド面を有し、これに沿って前記係合区間をスライドさせるようにし、また、前記スライド面に対して鋭角で配置された表面形状のステップを有し、このステップによって、前記傾斜したスライド面の一方の頂部と、次の傾斜面の底部とを接続して、のこぎりの歯状の形状を生じさせて、前記ステップによって、前記脚部材の前記係合区間の一方向での移動を維持させるようにしたことを特徴とする請求項１に記載の戻り防止装置。
【請求項３】
前記保持部材の各々の第１トラックに面する側面の少なくとも一部は、前記装置の前記長手方向軸に対して浅い角度で配置されて、前記係合区間の第１の移動方向の端部では、前記傾斜したスライド面は狭くなるようにしたことを特徴とする請求項１又は２に記載の戻り防止装置。
【請求項４】
前記傾斜したスライド面は、近接する傾斜したスライド面と重なり、また、前記傾斜したスライド面は、前記長手方向軸に対して垂直にテーパ付けられ、前記スライド面の頂部は底部と比べてより狭まるようにして、前記底部の前記ステップは近接するスライド面と比べて、これらの接合点においてより狭められるようにしたことを特徴とする請求項２又は３に記載の戻り防止装置。
【請求項５】
前記脚部材は、前記係合区間と反対の端部にピボット可能なように取付けられ、トラックのセットの少なくとも１つを有する前記第１部品は、一定の距離で配置されるように対応した弧状の構成を有し、前記係合区間が前記トラックと係合できるようにしたことを特徴とする請求項１、２、３又は４に記載の戻り防止装置。
【請求項６】
前記スライド案内部のこの最も幅の広い区間での前記長手方向軸に対して垂直な幅は、少なくとも前記保持部材の前記ステップと同じ幅であることを特徴とする請求項１〜５のいずれかに記載の戻り防止装置。
【請求項７】
前記装置の全部分はプラスチック材料、好ましくは、成形加工可能な材料から形成され、より好ましくは、射出成形加工によって形成されることを特徴とする請求項１〜６のいずれかに記載の戻り防止装置。
【請求項８】
前記相対的に変位可能な部品の１つ又は双方は、例えば、ばね手段によって相対的に付勢され、このため、前記装置が使用されない時、前記係合手段は前記スライド案内部上の点で係合することを特徴とする請求項１〜７のいずれかに記載の戻り防止装置。
【請求項９】
手動的に操作される吸入装置のような装置であって、ボタン又はレバーの押し下げによって、前記装置内に配置されたキャニスタから薬の用量を投薬するようにし、前記ボタン又はレバーは、機械的な戻り防止装置とさらに接続されており、この装置は、２つの協働し、相対的に変位可能な部品を含み、この際、
第１の部品は、長手方向軸と平行であり、第１トラックと第２トラックを含むトラックのセットを少なくとも１つ備え、前記第２トラックには、１つ又は複数の保持部材と、前記第２トラックの一方の端部に配置されるようにスライド案内部を備え、
第２の協働する部品は、前記第１部品に備えられるトラックと係合するように係合区間を備えた脚部材を含み、この脚部材を前記第１部品に向って付勢させて、前記係合区間を前記長手方向軸の方向に移動可能なように適用させ、
さらに、前記保持部材によって、前記脚部材の前記係合区間を前記スライド案内部に向う第１方向に移動させると共に、反対の第２方向への移動を防ぐようにし、前記脚部材の前記係合区間が前記スライド案内部上でスライドして、前記係合区間と、この結果、前記脚部材が、前記第２トラックから前記第１トラックまで方向付けられるようにしたことを特徴とする装置。
【請求項１０】
前記相対的に変位可能な部品は、前記装置と一体の部品として形成されて、例えば、前記第１又は第２の部品が前記ボタン構成の一部と一体に形成され、他方の部品が前記装置の非可動部分と一体に形成されるようにしたことを特徴とする請求項９に記載の装置。
【請求項１１】
少なくとも２つの近接する前記保持手段の間、又は、前記保持手段と前記スライド案内部の間での、前記係合区間の移動は、前記薬の用量の投薬及び／又は用量のカウント装置への入力である、イベントの１つを生じさせることに相当することを特徴とする請求項９又は１０に記載の装置。
【請求項１２】
前記機械的な戻り防止装置は、前記装置と同時に成形されることを特徴とする請求項９、１０又は１１に記載の装置。
【発明の詳細な説明】
【技術分野】
【０００１】
本発明は、機械的な戻り防止装置に関し、さらに、このような機械的な戻り防止装置を組み込んだ装置に関する。
【背景技術】
【０００２】
戻り防止装置は、さまざまな目的のために利用することができる。
例えば、窓やドアを開かれた位置に保つための、戻り防止装置の例として、特許文献１の開示例がある。この開示例のうち、特に、第２の実施形態では、ハウジングの内部につめ車を配置している。また、ハウジングのスリットを介して、第２の移動可能な部材を装着させている。この移動可能部材は、つめ車と係合できるように、係合区間を有している。そして、第２部材が第１方向に移動する際、つめ車の三角形状によって、逆方向の移動が防がれるようにしている。また、第２部材がつめ車の端部に至ると、ばねの影響を受けて、下方に付勢されて、つめ車の下で反対方向に移動できるようにしている。そして、第２のばね部材をさらに備えることによって、第２部材をつめ車の開始側に向って上方に案内させて、再度、前方への移動が可能になるようにしている。しかし、この構成には幾つかの短所があり、例えば、全構造をハウジング内に配置させるため、ごみや他の異物がハウジング内につまると、最終的に、装置の正常な作用を妨害するおそれがあった。具体例を示すと、第２のばね装置と、装置の底部の間に異物が詰め込まれる場合には、係合区間を第２トラック上で後退させるように押込むことが不可能になる。さらに、つめ車の下方、即ち、第２トラックと第１トラックの間に異物が詰まると、同様に、装置の正常な作用が妨害されるおそれがあった。また、本発明のさらなる実施形態から明らかになるように、この装置では、移動可能な部材を元の開始側の位置まで後退させるためには、移動可能部材をつめ車を通る途中から、第１位置まで戻すことができず、むしろ、移動可能部材を端部までずっと押し続けて、つめ車の下方に備えられた第１トラックまで下降させる必要があった。さらに、装置を正常に作用させることは、つめ車手段のレベルまで、係合区間を後退させるように付勢する、第２ばね部材の性能に全く依存しており、この機能が阻害される場合には、装置は全く使用することができなくなっていた。
【特許文献１】米国特許第２１２９４１２号公報
【発明の開示】
【発明が解決しようとする課題】
【０００３】
そこで、本発明は、上述した短所を克服すると共に、さらなる多くの長所を提供して、上記特許文献１に従う装置では適切に用いられない分野においても利用可能となるように、利用分野を広げた、機械的な戻り防止装置を提供することを目的としている。
【０００４】
多くの利用分野では、ボタン又はレバーを手動的に押し下げることで、所定の働きを行わせたり、実行させて、この結果、１つ又は複数のイベントを生じさせている。
これら利用分野の多くでは、問題とされるイベントを生じさせるため、ボタン又はレバーのストロークを行わせるか、あるいは、少なくともボタン又はレバーのストロークを十分であるようにすることが望まれている。
以下、この状況が重要となる装置の例として、喘息用の吸入装置について説明する。
【０００５】
このようなタイプの喘息用の吸入装置は、利用者／患者が薬の吸入を必要とする時、喘息用の吸入装置をマウスピースと共に患者の口の中に入れた後、ボタンを作動させるように機能している。ボタンを押し下げることで、装置内のキャニスタが作動して、キャニスタ内のバルブシステム内に保管されていた薬の一回分の用量が、マウスピースを介して、患者の内部に投薬されるようにしている。
【０００６】
通常、このようなタイプの装置は、用量のカウンタを備えており、装置内に残されている用量がどの程度なのか、患者が確認できるようにしており、この結果、新しい装置やキャニスタを必要な時に設けられるようにしている。従って、患者が薬の用量を投薬する時、一回分の用量だけが投薬されると同時に、一回分の用量だけがカウントされることが重要になる。
【０００７】
しかし、場合によっては、このようなタイプの装置の製造コストを出来るだけ低く抑えるために生じる製造時の固有の公差や、さらに複数の相対的に作用する部品から生じるあそびの結果として、押圧されていない状態や、押圧途中の状態から、ボタンを作用することが可能になることがあり、このため、実際に用量が投薬されていないのにカウンタが作用されたり、または、カウンタが作用することなく用量が投薬されることがあった。
【０００８】
このようなタイプの装置では、他の多くのタイプの装置と同様に、ボタン／レバーを押し下げることで、例えばイベントを生じさせるように、機能を行わせて、この機能により１つ又は複数の結果を得られるようにして、例えば、上述の例では、ボタンを作用させることで、一回分の用量を投薬させるとともに、この用量のカウントを行ったり／記録することは、望ましくなかった。即ち、ボタンを押し下げることで、上記２つのイベントを行わせることを信頼性があるように行わせて、予期しない、あるいは、予期して装置を誤作動させるおそれがないように働かせることが最良とされていた。
【０００９】
従って、本発明は、また、ボタン／レバーの押し下げによって生じる１つ又は複数のイベントが信頼性があるように実行され、及び／又は、同時に、つまり同期した手法によって割当てられるように、利用者により、ボタン又はレバーのストロークによって、イベントだけを生じさせることができる、機械的な戻り防止装置を提供することを目的とする。
【課題を解決するための手段】
【００１０】
従って、本発明は、次のように、２つの協働し、相対的に変位可能な部品を含む、機械的な戻り防止装置を提供する。この際、
第１の部品は、長手方向軸と平行であり、第１トラックと第２トラックを含むトラックのセットを少なくとも１つ備え、第２トラックには、１つ又は複数の保持部材と、第２トラックの一方の端部に配置されるようにスライド案内部を備え、
第２の協働する部品は、第１部品に備えられるトラックと係合するように係合区間を備えた脚部材（作用部材）を含み、この脚部材を第１部品に向って付勢させて、係合区間を長手方向軸の方向に移動可能なように適用させ、
さらに、保持部材によって、脚部材の係合区間をスライド案内部に向う第１方向に移動させると共に、反対の第２方向への移動を防ぐようにし、脚部材の係合区間がスライド案内部上でスライドして、係合区間と、この結果、脚部材が、第２トラックから第１トラックまで方向付けられるようにした。
【００１１】
この構成では、上記装置は、係合手段が制約されないように一方向で移動できるように、第１トラックを提供する。さらなる装置に組付けられる際、完全なボタンのストロークを提供することが望ましいので、係合区間が制約されないように完全に第１トラック上をスライドできるようにする。第１方向での移動中、脚部材の係合区間は、係合区間に及ぼされる付勢力によって、１つ又は複数の保持部材から構成される第２トラックの側部と当接する。そして、一度、係合区間が、ボタン／レバーのストロークに相当する、意図された移動用ストロークの底部に達すると、付勢力によって係合区間を第２トラック上に押し付けて、係合区間がこの開始位置に向うように第２方向に移動して、１つ又は複数の保持部材を通過するようにする。
【００１２】
係合手段の第２方向での移動中、利用者が方向を変えることを望む場合、例えば、ボタン／レバーを再度押し下げる場合、係合区間は保持部材と係合して、二つの協働する部品の相対的な移動が不可能になるようにする。
【００１３】
係合区間を第１トラック上で移動させることに相当するボタンの押し下げ中、利用者が方向を変える、つまり、第１から第２方向まで、係合区間を反対方向に移動させ始めると、付勢力によって係合区間は第２トラック上に強制されて、１つ又は複数の保持部材が備えられている第２トラック上の係合区間の位置によって、さらなる前方移動が防がれて、この結果、第１方向でのさらなる移動を不可能にする。
【００１４】
ボタン又はレバーの再度の押し下げ／作用に相当して、係合区間を第１方向で再度移動させるためには、係合区間を戻さなくてはならず、また、係合区間をスライド案内部と当接させなくてはならず、この結果、さらなる前方への移動中に、再度、係合区間は、ボタン／レバーによりイベントの生じさせる途中に、保持部材と当接しながら、第１トラック上でスライドする。
【００１５】
このように、ボタン／レバーの作用により生じるイベントが、１つ又は複数の保持部材が第１方向に通過したときに限り生じるように、１つ又は複数の保持部材を構成することで、ボタン／レバーの押し下げが行われた時に、信頼性のあるように作用させることを保証できる。また、ボタン／レバーの押し下げが移動中に外れた場合、上述したように、係合区間は第２トラック上に強制されて、第１方向でのさらなる移動は、保持部材と係合して、この方向での移動ができなくなるようにする。
【００１６】
従って、保持部材を正確に配置することによって、装置内のあそびと、公差を打ち消すようにして、イベントを生じさせたり、開始させるためのボタン／レバーの移動が、この装置によって信頼性があるように行われるようにする。従って、装置内の公差とあそびは、第１方向での係合区間の初期の移動によって吸収され、一度係合区間が作用領域に侵入すると、装置の構造によって、元に戻り、開始位置まで完全に戻ることなく、逆に作用することが不可能になる。このことは、次に、ボタン／レバーの比較的に短い移動によって、作用が行われることを意味する。
【００１７】
本発明に係るさらなる実施形態では、保持部材の各々は、所定の長さを有する傾斜したスライド面を有し、これに沿って係合区間をスライドさせるようにし、また、このスライド面に対して鋭角で配置された表面形状のステップを有し、このステップによって、傾斜したスライド面の一方の頂部と、次の傾斜面の底部とを接続して、のこぎりの歯状の形状を生じさせて、このステップによって、脚部材の係合区間の一方向での移動を維持させるようにする。
【００１８】
この構成は、製造するのが比較的に簡単であり、さらに、この構成では、利用者は、ボタンが戻りの移動を行うことを示唆する、のこぎりの歯状の構造の歯を感知することができる。また、装置を構成するとき、スライド面の長さを構成することは比較的に容易なので、ボタン／レバーを望ましいように移動させるため、正確に構成することができる。
【００１９】
尚、本明細書と、添付した特許請求の範囲の記載において、"スライド面に対して鋭角で配置された表面形状のステップ"の構成では、この表面は、傾斜したスライド面上をのぼるように移動する脚部材の係合区間は、下降して、ステップにより保持されると、この結果、一方向での移動が防がれ、そして、近接してスライド面が備えられていると、係合区間はこのスライド面をのぼることだけが可能になるような角度の表面であることを意味することを理解されたい。
【００２０】
本発明に係るさらなる実施形態では、保持部材の各々の第１トラックに面する側面の少なくとも一部は、装置の長手方向軸に対して浅い角度で配置されて、係合区間の前方への移動方向の端部では、傾斜したスライド面は狭くなるようにする。
【００２１】
この実施形態では、第２トラックの側面は、これに対して係合手段が第１方向での移動中に当接するようにし、保持部材を浅い角度で配置することによる不均一性や同様のものによって、係合手段がつまらないように形成され、この側部と当接する係合部材がトラックでの移動中に外側に押され続けられるようにする。
【００２２】
本発明に係るさらなる実施形態では、傾斜したスライド面は、近接する傾斜したスライド面と重なり、また、傾斜したスライド面は、長手方向軸に対して垂直にテーパ付けられ、スライド面の頂部は底部と比べてより狭まるようにして、底部のステップは近接するスライド面と比べて、これらの接合点においてより狭められるようにする。
【００２３】
この構成では、傾斜したスライド面のくさび形状部は、近接する保持手段に対して露出される。そして、係合区間が保持手段と係合する、逆方向での移動中、テーパ付けられた側部区間によって露出される、くさび形状の区間は、係合区間が保持手段に対し移動することを容易にする。
【００２４】
本発明に係るさらなる実施形態では、脚部材は、係合区間と反対の端部にピボット可能なように取付けられ、トラックのセットの少なくとも１つを有する第１部分は、一定の距離で配置されるように対応した弧状の構成を有し、係合区間がトラックと係合できるようにする。
【００２５】
自明ではあるが、上述した装置は、第１と第２の部品の間の相対的な移動が線形なときに機能する。しかしながら、脚部材がピボット可能なように取付けられて、係合区間が部分的に円形状の移動に対応するように移動することも、本発明の範囲内に含まれることを思料されたい。また、脚部の係合区間から一定の距離で保持手段を備えるため、保持手段をまた円形（弧）状の部材上に配置して、この円の半径が、脚部材のピボット状の取付け点と、係合区間の外側の端部の間の距離に相当するようにしてもよい。この構成では、レバー又はボタンの作用が脚部の移動に伝えられる時、脚部の係合区間は、第１部品上に配置された２つのトラックと当接されたままになる。この場合、上述したものと同様の長所を得ることができる。
【００２６】
本発明に係るさらなる実施形態では、スライド案内部のこの最も幅の広い区間での長手方向軸に対して垂直な幅は、少なくとも保持部材のステップと同じ幅である。
【００２７】
本発明に係るさらなる実施形態では、装置の全部分はプラスチック材料、好ましくは、成形加工可能な材料から形成され、より好ましくは、射出成形加工によって形成される。
【００２８】
材料の選択は、装置を形成する適用分野に常に基づくことになる。プラスチック材料の材料特性を鑑みて、特に、ほとんどのプラスチックが可撓性、軽重量、及び比較的に良好な強度を提供することを鑑みて、プラスチックは好適な材料であり、この場合、脚部の付勢特性を脚部自身に割当てることができ、別体の付勢部材やばね等のさらなる部品を備える必要がなくなる。さらに、プラスチックと、特に射出成形加工は、大規模に部品を大量生産するにあたり、経済的で、信頼性がある。
【００２９】
本発明に係るさらなる実施形態では、相対的に変位可能な部品の１つ又は双方は、例えば、ばね手段によって、相対的に付勢され、このため、装置が使用されない時、係合手段はスライド案内部上の点で係合する。
【００３０】
１つの部材を１方向に常に付勢させることで、脚部材を第１方向に移動させる状態、即ち、側部を保持手段と当接させながらスライドさせるように、装置を保つことが確保される。これはまた、ボタン又はレバーのゼロ位置、つまり、ここからストロークが開始される位置と組み合わせられていてもよい。
【００３１】
本発明に係る機械的な防止装置は多くの様々な装置に適用することができるが、例えば、本発明に係る好適な実施形態では、この装置は、手動的に操作される吸入装置であって、ボタン又はレバーの押し下げによって、装置内に配置されたキャニスタから薬の用量を投薬するようにし、ボタン又はレバーは、機械的な戻り防止装置とさらに接続されており、この装置は、２つの協働し、相対的に変位可能な部品を含み、この際、
第１の部品は、長手方向軸と平行であり、第１トラックと第２トラックを含むトラックのセットを少なくとも１つ備え、第２トラックには、１つ又は複数の保持部材と、第２トラックの一方の端部に配置されるようにスライド案内部を備え、
第２の協働する部品は、第１部品に備えられるトラックと係合するように係合区間を備えた脚部材を含み、この脚部材を第１部品に向って付勢させて、係合区間を長手方向軸の方向に移動可能なように適用させ、
さらに、保持部材によって、脚部材の係合区間をスライド案内部に向う第１方向に移動させると共に、反対の第２方向への移動を防ぐようにし、脚部材の係合区間がスライド案内部上でスライドして、係合区間と、この結果、脚部材が、第２トラックから第１トラックまで方向付けられるようにした。
【００３２】
このタイプの装置内に機械的な戻り防止装置を組み込み、利用形態に従って、保持部材の大きさと配置を構成することによって、一度、利用者がボタン又はレバーを作用させて、作用点を超えて進ませると、一回分の用量が投薬され、また、選択的に、用量のカウント用装置を作用させるが、この際、利用者が方向を変えることができないようにする。方向を変化させることは、新しいストロークが開始される前に、ボタン／レバーを最初の開始位置に戻すことを必要とする。
【００３３】
本発明に係る装置のさらなる実施形態では、相対的に変位可能な部品は、装置と一体の部品として形成されて、例えば、第１又は第２の部品がボタン構成の一部と一体に形成され、他方の部品が装置の非可動部分と一体に形成されるようにする。
【００３４】
このように製造することで、本発明に係る装置の長所として、機械的な戻り防止装置を形成するために必要な２つの部品とともに、最初から装置の部品を成形できるので、非常に低コストで装置を提供できる。さらに、装置を射出成形する場合には、射出成形用の工具を修正するだけで、装置自身に上述したさらなる長所を組み込むように成形することを、非常に簡単で、このため安価に行うことができる。
【００３５】
本発明に係る機械的な戻り防止装置のさらなる実施形態では、薬の用量の投薬及び／又は用量のカウント装置への入力である、イベントの１つを生じさせることに相当する、少なくとも２つの近接する保持手段の間、又は、保持手段とスライド案内部の間での、係合区間の移動形態を形成し、構成することによって、製造、組立及び生産時の環境から装置内に生じるあそびと公差を取り除くようにする。
【００３６】
係合区間が第１トラック上の最後の保持手段を通過した後に限って、イベントが生じるように装置を構成することで、ボタン／レバーの押し下げが完全でない場合には、この結果、用量の投薬と、用量のカウントが生じないようにすることを保証でき、又は、ボタン／レバーが一度の移動で作動用の１つ又は複数の点を超えて完全に進む場合には、正確な投薬と薬の用量のカウントを行うことを保証できる。
【００３７】
以上、吸入装置に関して本発明の装置について説明したが、基本的に、ボタンを完全に押し下げること、又は、少なくともボタンの押し下げについて保証することで、上記ボタンの押し下げに基づいて、所望のイベントを生じさせるようにする。この基本は、勿論、多くの装置に対して適用し、実行することができるが、この際、ボタン／レバーのストロークに関する同様の事項が適用されるものとする。
以下、本発明の好適な実施形態について、添付した図を参照しながら説明する。
【発明を実施するための最良の形態】
【００３８】
図１を参照すると、２つの協働作用する部品、即ち、第１部品１と第２部品２が示されている。これら２つの部品１、２は、相対的に変位可能なように構成されており、例えば、第１部品１は、第２部品２に対して、矢印３に示す、第１方向にスライドすることができる。
この際、いずれの部品を他方の部品に対してスライドさせることは、装置を適切に作用させる上で問題ではない。
【００３９】
第１部品１上には、複数の保持手段４が備えられており、図示した実施形態では、各保持手段は、傾斜したスライド面５を含み、これは、図２及び３に示すように、ステップ（階段）６と接続されている。ステップは、一方の傾斜面５の頂部を、近接された保持手段上の近くに配置された傾斜面の底部と接続させている。さらに、保持手段は、テーパ付けられた表面７を備えている。
【００４０】
保持手段４の正面の一番先には、スライド案内部８が備えられている。このスライド案内部は、第１方向にテーパ付けられており、この結果、スライド案内部の後方端部９は、矢印３に示すように、第１方向に対して垂直な方向で、傾斜面５の幅と同じ幅を有している。この際、テーパは、幅をほぼ０にさせる。このテーパ付けられたスライド案内部は、図３により明瞭に示されている。
【００４１】
第２部品２は脚部１０を有しており、これは、第１部品１に向って付勢されて、この係合区間１１が保持手段４と係合できるようにしている。
【００４２】
２つの部品１、２が相対的に変位するに従い、例えば、図１に示した位置から、係合区間１１は、第１部品に対して、左側にだけ移動することができ、この際、保持手段４は、係合区間と、この結果、第２部品を、右側に向っていかなる移動も防ぐようにしている。係合区間がスライド案内部８の端部に至ると、係合区間は、表面１２に示される第１トラック上に案内される。例示した実施形態では、保持手段４の列から第２トラックが構成されている。
【００４３】
係合区間１１がトラック、つまり、保持手段４の列と表面１２に向って係合するにつれて、第１部品１が脚部材１０に対し左側に移動する時、係合手段は表面１２上をスライドする。但し、脚部材１０は付勢されるため、係合区間１１は保持手段のスライド面９と当接する。２つの区間の相対的な移動が停止して、方向が変えられる場合には、係合区間１１は保持手段上の傾斜面の露出部をのぼるようにスライドし、係合区間は図１に示したものと同等の位置にスライドして、この結果、右側に向うさらなる移動を不可能にする。
【００４４】
しかしながら、２つの部品１、２の相対的な移動が開始点から続いて、つまり、第２トラック上のスライド案内部８の端部から、スライド状のトラックの反対側の端部にある最初の傾斜面まで、全移動は、保持手段４から何ら制約されることなく完了することができる。戻り（帰り）の移動では、係合区間はスライド案内部８に達するまで、保持手段４の列上をスライドし、係合手段用に再度自由になる第１トラックに再度アクセスできるようにする。
【００４５】
図２−４を参照すると、第２トラックの断面が示されており、この際、保持手段４はのこぎりの歯の形態で示されている。
【００４６】
図５及び６を参照すると、保持手段４を円形（弧）状部材１３の部分に配置させた、他の実施形態が示されている。例えば、図１０に示されているように、脚部１０をピボット点に関してピボット可能なように配置させて、脚部１０の係合区間１１はこの移動中、円の一部を描くようにする。保持手段４を弧状部材１３上に配置して、ピボット点と弧状部材１３の間の距離を一定に保つことにより、機械的な防止装置は、図１を参照して説明した実施形態と全く同様に機能する。
【００４７】
さらに、図５に示した実施形態では、２つのトラックを有する２つの平行なセットが備えられている。この実施形態では、中央の分離部１４は、図６には示されていないが、中央の分離部１４の双方の側にある、対応するトラックの分離したセットの上に脚部１０を保持させる。
【００４８】
幾つかの実施形態では、大きな力を吸収できるようにすることが長所となるが、部材の大きさを拡げることができない場合には、保持手段４と第１トラック１２のさらなるセットを加えて、脚部の二重のセットと協働させるように備えてもよい。
【００４９】
図７、８及び９を参照すると、本発明に係る特定の実施形態が示されている。この実施形態では、機械的な防止装置は、１つの保持手段４と１つのスライド状の傾斜部８を備えている。この実施形態は、上述したものと全く同様に機能するが、特に、この構造物によって、１つのイベントが正確に生じることを保証させることを目的としている。この実施形態では、上述したように、中央の分離部１４のいずれの側にもトラックの２つのセットを備えてもよいが、あるいは、単一の保持手段と単一のスライド案内部と第１トラック１２だけを備えるように製造してもよい。
【００５０】
図１０を参照すると、機械的な戻り防止装置を吸入装置１５内に組み込んだ場合について例示している。
典型的な吸入装置は、マウスピース１６、作動用ボタン１７、キャニスタ１８を備えており、キャニスタ内には、マウスピースを介して投薬されるように薬が含まれている。つまり、ボタン１７を押し下げると、キャニスタ１８は下方に向うように強制されて、そして、バルブ装置１９を介して、マウスピースから一回分の用量が投薬されるようにしている。この実施形態には、機械的な戻り防止装置が配置されており、つまり、ボタン１７と一体に脚部１０が設けられている。ボタン１７は、ピボット点２０に関してピボットするように構成されている。この移動によって、第２部品の係合区間１１は、吸入装置と一体に設けられた第１部品１と当接する。
【００５１】
図１０に示した一体型の機械的な戻り防止装置は、図１を参照して説明したものと全く同様に機能し、つまり、係合区間１１は弧状の第１部品１に沿って移動して、この移動に従って、保持手段４の側部と当接するか、これらと係合するが、これは、移動に基づいて行われる。
【００５２】
上記装置は、吸入用装置に関して説明されているが、本発明の機械的な戻り防止装置の基本構成は、他の装置に対しても組み込むことは可能であり、この際、望ましくは同様に戻りの防止効果が行われるようにする。
【００５３】
また、上記説明では、保持手段は、図１に示したようにのこぎりの歯の構成について説明したが、本発明の範囲内で、保持手段はＶ字形状のカムや、相互に関係する円形状のディスクであって、非ステップ状に保持手段と係合するようにしてもよい。
【図面の簡単な説明】
【００５４】
【図１】本発明に係る実施形態の斜視図である。
【図２】本発明に係る第１部品を示す図である。
【図３】本発明に係る第１部品を示す図である。
【図４】本発明に係る第１部品を示す図である。
【図５】本発明に係る湾曲した第１部品の実施形態を示す図である。
【図６】本発明に係る湾曲した第１部品の実施形態を示す図である。
【図７】１つの保持手段を有する本発明に係る特定の実施形態を示す図である。
【図８】１つの保持手段を有する本発明に係る特定の実施形態を示す図である。
【図９】１つの保持手段を有する本発明に係る特定の実施形態を示す図である。
【図１０】本発明に係る機械的な戻り防止装置を含む装置を示す図である。
【符号の説明】
【００５５】
１            第１部品
２            第２部品
４            保持手段
５            スライド面
６            ステップ
７            テーパ面
８            スライド案内部
１０          脚部
１１          係合区間
１２          表面（第１トラック）
１３          円（弧）形状の部材
１４          中央の分離部
１５          吸入装置
１６          マウスピース
１７          ボタン
１８          キャニスタ
１９          バルブ装置
２０          ピボット点
【図１】
2007506475.tif 000003
【図２】
2007506475.tif 000004
【図３】
2007506475.tif 000005
【図４】
2007506475.tif 000006
【図５】
2007506475.tif 000007
【図６】
2007506475.tif 000008
【図７】
2007506475.tif 000009
【図８】
2007506475.tif 000010
【図９】
2007506475.tif 000011
【図１０】
2007506475.tif 000012
【手続補正書】
【提出日】平成17年5月25日(2005.5.25)
【手続補正１】
【補正対象書類名】特許請求の範囲
【補正対象項目名】全文
【補正方法】変更
【補正の内容】
【特許請求の範囲】
【請求項１】
２つの協働し、相対的に変位可能な部品を含む、機械的な戻り防止装置であり、
第１の部品は、長手方向軸と平行であり、第１トラックと第２トラックを含むトラックのセットを少なくとも１つ備え、前記第２トラックには、１つ又は複数の保持部材と、前記第２トラックの一方の端部に配置されるようにスライド案内部を備え、
第２の協働する部品は、前記第１部品に備えられるトラックと係合するように係合区間を備えた脚部材を含み、この脚部材を前記第１部品に向って付勢させて、前記係合区間を前記長手方向軸の方向に移動可能なように適用させ、
さらに、前記保持部材によって、前記脚部材の前記係合区間を前記スライド案内部に向う前記第１トラック上で第１方向に制約されないように移動させると共に、反対の第２方向への移動を防ぐようにし、前記脚部材の前記係合区間が前記スライド案内部上でスライドして、前記係合区間と、この結果、前記脚部材が、前記第２トラックから前記第１トラックまで方向付けられるようにしたことを特徴とする戻り防止装置。
【請求項２】
前記保持部材の各々は、所定の長さを有する傾斜したスライド面を有し、これに沿って前記係合区間をスライドさせるようにし、また、前記スライド面に対して鋭角で配置された表面形状のステップを有し、このステップによって、前記傾斜したスライド面の一方の頂部と、次の傾斜面の底部とを接続して、のこぎりの歯状の形状を生じさせて、前記ステップによって、前記脚部材の前記係合区間の一方向での移動を維持させるようにしたことを特徴とする請求項１に記載の戻り防止装置。
【請求項３】
前記保持部材の各々の第１トラックに面する側面の少なくとも一部は、前記装置の前記長手方向軸に対して浅い角度で配置されて、前記係合区間の第１の移動方向の端部では、前記傾斜したスライド面は狭くなるようにしたことを特徴とする請求項１又は２に記載の戻り防止装置。
【請求項４】
前記傾斜したスライド面は、近接する傾斜したスライド面と重なり、また、前記傾斜したスライド面は、前記長手方向軸に対して垂直にテーパ付けられ、前記スライド面の頂部は底部と比べてより狭まるようにして、前記底部の前記ステップは近接するスライド面と比べて、これらの接合点においてより狭められるようにしたことを特徴とする請求項２又は３に記載の戻り防止装置。
【請求項５】
前記脚部材は、前記係合区間と反対の端部にピボット可能なように取付けられ、トラックのセットの少なくとも１つを有する前記第１部品は、一定の距離で配置されるように対応した弧状の構成を有し、前記係合区間が前記トラックと係合できるようにしたことを特徴とする請求項１、２、３又は４に記載の戻り防止装置。
【請求項６】
前記スライド案内部のこの最も幅の広い区間での前記長手方向軸に対して垂直な幅は、少なくとも前記保持部材の前記ステップと同じ幅であることを特徴とする請求項１〜５のいずれかに記載の戻り防止装置。
【請求項７】
前記装置の全部分はプラスチック材料、好ましくは、成形加工可能な材料から形成され、より好ましくは、射出成形加工によって形成されることを特徴とする請求項１〜６のいずれかに記載の戻り防止装置。
【請求項８】
前記相対的に変位可能な部品の１つ又は双方は、例えば、ばね手段によって相対的に付勢され、このため、前記装置が使用されない時、前記係合手段は前記スライド案内部上の点で係合することを特徴とする請求項１〜７のいずれかに記載の戻り防止装置。
【請求項９】
手動的に操作される吸入装置のような装置であって、ボタン又はレバーの押し下げによって、前記装置内に配置されたキャニスタから薬の用量を投薬するようにし、前記ボタン又はレバーは、機械的な戻り防止装置とさらに接続されており、この装置は、２つの協働し、相対的に変位可能な部品を含み、この際、
第１の部品は、長手方向軸と平行であり、第１トラックと第２トラックを含むトラックのセットを少なくとも１つ備え、前記第２トラックには、１つ又は複数の保持部材と、前記第２トラックの一方の端部に配置されるようにスライド案内部を備え、
第２の協働する部品は、前記第１部品に備えられるトラックと係合するように係合区間を備えた脚部材を含み、この脚部材を前記第１部品に向って付勢させて、前記係合区間を前記長手方向軸の方向に移動可能なように適用させ、
さらに、前記保持部材によって、前記脚部材の前記係合区間を前記スライド案内部に向う第１方向に移動させると共に、反対の第２方向への移動を防ぐようにし、前記脚部材の前記係合区間が前記スライド案内部上でスライドして、前記係合区間と、この結果、前記脚部材が、前記第２トラックから前記第１トラックまで方向付けられるようにしたことを特徴とする装置。
【請求項１０】
前記相対的に変位可能な部品は、前記装置と一体の部品として形成されて、例えば、前記第１又は第２の部品が前記ボタン構成の一部と一体に形成され、他方の部品が前記装置の非可動部分と一体に形成されるようにしたことを特徴とする請求項９に記載の装置。
【請求項１１】
少なくとも２つの近接する前記保持手段の間、又は、前記保持手段と前記スライド案内部の間での、前記係合区間の移動は、前記薬の用量の投薬及び／又は用量のカウント装置への入力である、イベントの１つを生じさせることに相当することを特徴とする請求項９又は１０に記載の装置。
【請求項１２】
前記機械的な戻り防止装置は、前記装置と同時に成形されることを特徴とする請求項９、１０又は１１に記載の装置。
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
２つの協働し、相対的に変位可能な部品（１、２）を含む、機械的な戻り防止装置であり、
第１の部品（１）は、長手方向軸と平行であり、第１トラック（１２）と第２トラックを含むトラックのセットを少なくとも１つ備え、前記第２トラック（４）には、１つ又は複数の保持部材（４）と、前記第２トラックの一方の端部に配置されるようにスライド案内部（８）を備え、
第２の協働する部品（２）は、前記第１部品（１）に備えられるトラックと係合するように係合区間（１１）を備えた脚部材（１０）を含み、この脚部材（１０）を前記第１部品（１）に向って付勢させて、前記係合区間（１１）を前記長手方向軸の方向に移動可能なように適用させ、
さらに、前記保持部材（４）によって、前記脚部材（１０）の前記係合区間（１１）を前記スライド案内部（８）に向う前記第２トラック上で第１方向に制約されないように移動させると共に、反対の第２方向への移動を防ぐようにし、前記脚部材（１０）の前記係合区間（１１）が前記第１方向で移動して前記スライド案内部（８）を通過した後、移動方向が逆向きにされて前記スライド案内部（８）上でスライドして、前記係合区間（１１）と、この結果、前記脚部材（１０）が、前記第２トラックから前記第１トラックまで方向付けられて、前記第１トラック上で前記第２方向に制約されないように移動できるようにしたことを特徴とする防止装置。
【請求項２】
前記保持部材（４）の各々は、所定の長さを有する傾斜したスライド面（５）を有し、これに沿って前記係合区間（１１）をスライドさせるようにし、また、前記スライド面（５）に対して鋭角で配置された表面形状のステップを有し、このステップによって、前記傾斜したスライド面（５）の一方の頂部と、次のスライド面（５）の底部とを接続して、のこぎりの歯状の形状を生じさせて、前記ステップによって、前記脚部材（１０）の前記係合区間（１１）の一方向での移動を維持させるようにしたことを特徴とする請求項１に記載の防止装置。
【請求項３】
前記保持部材（４）の各々の第１トラック（１２）に面する側面の少なくとも一部（７）は、前記装置の前記長手方向軸に対して浅い角度で配置されて、前記係合区間の第１の移動方向の端部では、前記傾斜したスライド面（５）は狭くなるようにしたことを特徴とする請求項１又は２に記載の防止装置。
【請求項４】
前記傾斜したスライド面（５）は、近接する傾斜したスライド面（５）と重なり、また、前記傾斜したスライド面（５）は、前記長手方向軸に対して垂直にテーパ付けられ、前記スライド面の頂部は底部と比べてより狭まるようにして、前記底部の前記ステップは近接するスライド面と比べて、これらの接合点においてより狭められるようにしたことを特徴とする請求項２又は３に記載の防止装置。
【請求項５】
前記脚部材（１０）は、前記係合区間（１１）と反対の端部にピボット可能なように取付けられ、トラックのセットの少なくとも１つを有する前記第１部品（１）は、一定の距離で配置されるように対応した弧状の構成を有し、前記係合区間が前記トラックと係合できるようにしたことを特徴とする請求項１、２、３又は４に記載の防止装置。
【請求項６】
前記スライド案内部（８）のこの最も幅の広い区間での前記長手方向軸に対して垂直な幅は、少なくとも前記保持部材（４）の前記ステップと同じ幅であることを特徴とする請求項１〜５のいずれかに記載の防止装置。
【請求項７】
前記装置の全部分はプラスチック材料、好ましくは、成形加工可能な材料から形成され、より好ましくは、射出成形加工によって形成されることを特徴とする請求項１〜６のいずれかに記載の防止装置。
【請求項８】
前記相対的に変位可能な部品（１、２）の１つ又は双方は、例えば、ばね手段によって相対的に付勢され、このため、前記装置が使用されない時、前記係合区間（１１）は前記スライド案内部（８）上の点で係合することを特徴とする請求項１〜７のいずれかに記載の防止装置。
【請求項９】
手動的に操作される吸入装置（１５）であって、ボタン又はレバー（１７）の押し下げによって、前記装置（１５）内に配置されたキャニスタ（１８）から薬の用量を投薬するようにし、前記ボタン又はレバー（１７）は、機械的な戻り防止装置とさらに接続されており、この装置は、２つの協働し、相対的に変位可能な部品（１、１７）を含み、この際、
第１の部品（１）は、長手方向軸と平行であり、第１トラックと第２トラックを含むトラックのセットを少なくとも１つ備え、前記第２トラックには、１つ又は複数の保持部材（４）と、前記第２トラックの一方の端部に配置されるようにスライド案内部を備え、
第２の協働する部品（１７）は、前記第１部品（１）に備えられるトラックと係合するように係合区間（１１）を備えた脚部材（１０）を含み、この脚部材（１０）を前記第１部品（１）に向って付勢させて、前記係合区間（１１）を前記長手方向軸の方向に移動可能なように適用させ、
さらに、前記保持部材（４）によって、前記脚部材（１０）の前記係合区間（１１）を前記スライド案内部に向う第１方向に移動させると共に、反対の第２方向への移動を防ぐようにし、前記脚部材（１０）の前記係合区間（１１）が前記スライド案内部上でスライドして、前記係合区間（１１）と、この結果、前記脚部材（１０）が、前記第２トラックから前記第１トラックまで方向付けられるようにしたことを特徴とする装置。
【請求項１０】
前記相対的に変位可能な部品（１、１７）は、前記装置と一体の部品として形成されて、例えば、前記第１又は第２の部品が前記ボタン構成（１７）の一部と一体に形成され、他方の部品が前記装置の非可動部分と一体に形成されるようにしたことを特徴とする請求項９に記載の装置。
【請求項１１】
少なくとも２つの近接する前記保持手段の間、又は、前記保持手段と前記スライド案内部の間での、前記係合区間の移動は、例えば前記薬の用量の投薬及び／又は用量のカウント装置への入力である、イベントの１つを生じさせることに相当することを特徴とする請求項９又は１０に記載の装置。
【請求項１２】
前記機械的な戻り防止装置は、前記装置と同時に成形されることを特徴とする請求項９、１０又は１１に記載の装置。
【手続補正２】
【補正対象書類名】明細書
【補正対象項目名】０００２
【補正方法】変更
【補正の内容】
【０００２】
戻り防止装置は、さまざまな目的のために利用することができる。
例えば、窓やドアを開かれた位置に保つための、戻り防止装置の例として、特許文献１の開示例がある。この開示例のうち、特に、第２の実施形態では、ハウジングの内部につめ車（ratchet）を配置している。また、ハウジングのスリットを介して、第２の移動可能な部材を装着させている。この移動可能部材は、つめ車と係合できるように、係合区間を有している。そして、第２部材が第１方向に移動する際、つめ車の三角形状によって、逆方向の移動が防がれるようにしている。また、第２部材がつめ車の端部に至ると、ばねの影響を受けて、下方に付勢されて、つめ車の下で反対方向に移動できるようにしている。そして、第２のばね部材をさらに備えることによって、第２部材をつめ車の開始側に向って上方に案内させて、再度、前方への移動が可能になるようにしている。しかし、この構成には幾つかの短所があり、例えば、全構造をハウジング内に配置させるため、ごみや他の異物がハウジング内につまると、最終的に、装置の正常な作用を妨害するおそれがあった。具体例を示すと、第２のばね装置と、装置の底部の間に異物が詰め込まれる場合には、係合区間を第２トラック上で後退させるように押込むことが不可能になる。さらに、つめ車の下方、即ち、第２トラックと第１トラックの間に異物が詰まると、同様に、装置の正常な作用が妨害されるおそれがあった。また、本発明のさらなる実施形態から明らかになるように、この装置では、移動可能な部材を元の開始側の位置まで後退させるためには、移動可能部材をつめ車を通る途中から、第１位置まで戻すことができず、むしろ、移動可能部材を端部までずっと押し続けて、つめ車の下方に備えられた第１トラックまで下降させる必要があった。さらに、装置を正常に作用させることは、つめ車手段のレベルまで、係合区間を後退させるように付勢する、第２ばね部材の性能に全く依存しており、この機能が阻害される場合には、装置は全く使用することができなくなっていた。
特許文献２を参照すると、フレームに対して窓を多かれ少なかれ開放位置に保つために用いられる従来公知の装置が開示されている。この装置には、２つの同軸上に配置され、相対的に移動可能なアーム部とともに係合部材（ロッキング部材）が含まれており、この係合部材は、上記２つの同軸上に配置された部材の外側の部材にピボット可能で、付勢されるように設けられており、このため、係合部材上のノッチが中央に位置する移動可能部材と係合できるようにしている。この係合用ノッチは、傾斜面上を移動して、一方のトラックから傾斜面上の反対側のトラックまで案内されるが、係合部材の移動に沿って、内側の部材上に設けられた様々な保持可能性に関して行われる。窓を多かれ少なかれ開放させることを決定する場合には、移動を行うため、ピボット可能な係合部材を一方又は他方のトラック上で手動的にピボットさせなければならない。
先行技術の発明に関するさらなる実施形態では、係合部材にばね付勢手段を備えており、このため、積極的に、力を作用させて、係合部材を同軸上の内側の部材との係合を外させることなく、２つの同軸上に配置された部材が誤って相対的に移動して、フレームに対して窓を移動させることがないようにしている。
【特許文献１】米国特許第２１２９４１２号公報（US 2129412）
【特許文献２】フランス国特許第２１６９６６４号公報（FR 2169664）
【手続補正３】
【補正対象書類名】明細書
【補正対象項目名】００１０
【補正方法】変更
【補正の内容】
【００１０】
従って、本発明は、次のように、２つの協働し、相対的に変位可能な部品を含む、機械的な戻り防止装置を提供する。この際、
第１の部品は、長手方向軸と平行であり、第１トラックと第２トラックを含むトラックのセットを少なくとも１つ備え、第２トラックには、１つ又は複数の保持部材と、第２トラックの一方の端部に配置されるようにスライド案内部を備え、
第２の協働する部品は、第１部品に備えられるトラックと係合するように係合区間を備えた脚部材（作用部材）を含み、この脚部材を第１部品に向って付勢させて、係合区間を長手方向軸の方向に移動可能なように適用させ、
さらに、保持部材によって、脚部材の係合区間をスライド案内部に向う第１方向に移動させると共に、反対の第２方向への移動を防ぐようにし、脚部材の係合区間が第１方向で移動してスライド案内部を通過した後、移動方向が逆向きにされてスライド案内部上でスライドして、係合区間と、この結果、脚部材が、第２トラックから第１トラックまで方向付けられて、第１トラック上で第２方向に制約されないように移動できるようにした。
【国際調査報告】
2007506475.tif 000013
2007506475.tif 000014
2007506475.tif 000015